(57)【要約】【課題】書見台の頁の押さえ具にあってめくった頁を確実に押え、頁が容易にめくれて、また容易に差し込めるようにした書見台を提供する。【解決手段】書物押え具（１）が上下方向にまた、水平方向に回動することによって開いた書物（２０）の頁を押さえる。この独自の保持力を持ち回動する書物押え具（１）が、さらに開いた書物（２０）に対して真上方向から押さえることで頁をめくるにも差し込むにも周りに邪魔な取付け部材がなく楽に操作ができる。【選択図】図４
2016159129.tif 000002
【特許請求の範囲】
【請求項１】
左右に配置されたベース部材５・５に、この左右のベース部材５・５を連結する前軸（３）および後軸（４）がそれぞれ設けられ、前記後軸（４）はベース部材５・５を貫通して延びる延長軸７・７が設けられこの延長軸７・７に前後方向に回動可能とするコマ部材２・２の下端２ｂ・２ｂが支持されており該コマ部材２・２の上端２ａ・２ａに書物（２０）を押さえる書物押え部材（１）を一端に有する半円状の書物押え部材１・１の他端が水平方向に回動可能に支持されていることを特徴とする書見台。
【請求項２】
前記書物押え部材（１）は金属体で構成されていることを特徴とする請求項１記載の書見台。
【請求項３】
前記前軸３はその中央部に書物（２０）のスベリを防止するための滑り止め部材（６）が設けられていることを特徴とする請求項１、又は２に記載の書見台。
【請求項４】
前記書物押え部材（１）の他端は前記コマ部材（２）の内面に形成された嵌合穴に嵌め込まれて回動可能とされ、該コマ部材の内面はシリコン材が積層されており、さらにこのシリコン材の内面にフッ素樹脂が積層されていることを特徴とする請求項１〜３のいずれか１項に記載の書見台。
【発明の詳細な説明】
【技術分野】
【０００１】この発明は本などの頁押え具にあって、めくった頁を確実に押さえ、そして、容易に差し込めるようにした書見台に関するものである。
【背景技術】
【０００２】書見台に頁を押さえるための部品が組み込まれていた。
【発明が解決しようとする課題】
【０００３】頁を押えさるための部品が組み付けてあるため、頁をめくる際にも差しこむ際にも煩わしく妨げになっていた。
【課題を解決するための手段】
【０００４】発明した書見台は書物押え部材（１）が保持力を備えて回動する機能を持つことで独自に書物（２０）を押さえることができるために、これまでの頁を押さえるための部品を取り付ける必要が無くなった。
【発明の効果】
【０００５】保持力を備え上下左右に回動する書物押え部材（１）は書物（２０）の文字のかからない端の部分を上から押さえるかたちになる。この上から押さえるかたが独自のもので、これにより、頁の扱いが円滑に行える。
（図４参照）
【図面の簡単な説明】
【０００６】
【図１】  本発明の全体の構成を示す斜視図。
【図２】  図１のコマ部材（２）Ａ部分の断面図。
【図３】  本発明における使用状態を示す側面図。
【図４】  本発明における使用状態を示す斜視図
【符号の説明】    １      書物押え部材
２      コマ部材
３      前軸
４      後軸
５      ベース
６      滑り止め部材
７      延長軸
８      キャップ
９      ベースゴム
１０    フッ素樹脂
１１    シリコン材
【発明するため実施の形態】
【０００７】以下、本発明の実施の形態を図１から図４に基づいて説明する。本発明の書見台Ａ（図１）は長方形状の左右にそれぞれベース（５）を備えておりこのベース（５）は前軸（３）によって連結されておりさらに前記ベース（５）は後軸（４）によって連結されている。そして、この後軸（４）はベース（５）を貫通して延長され、この延長部分の延長軸７・７に回転自在なコマ部材（２）下端２ｂ・２ｂが組み付けられ前後方向に回動する。さらに書物押え部材１・１の他端がコマ部材２・２の上端２ａ・２ａに組み付けられ水平方向に回動することにより書物押え部材（１）が頁を押さえる。
【０００８】ベース（５）の下面にはベースゴム（９）が片側２ケ所の計４ケ所に取り付けてある。書見台は、このスベリ止めによって台が安定し操作性が良くなる。
【０００９】頁を押さえる両端の書物押え部材１・１の動きは、コマ部材（２）の水平方向に回動する上端２ａ・２ａと前後方向に回動する下端２ｂ・２ｂの軸受が伝える。このコマ部材（２）のそれぞれの軸受は保持力を備えた軸受となっており、これにより書物押え部材（１）は独自に回動することが可能となる。
【００１０】この保持力を備えるにはコマ部材（（２）の内面にシリコン材（１１）を積層させ、さらにシリコン材（１１）の内面にフッ素樹脂（１０）を積層させる。このフッ素樹脂（１０）の内面と延長軸７との嵌合により適度の保持力を出すことができる。この構造は上端２ａ・２ａ及び下端２ｂ・２ｂともに同じである。
（図２参照）
【００１１】この軸受がしっとりとした滑らかな回動が得られるのは延長軸部（７）の綿密な仕上げと、すぐれた潤滑性能を備えた、そして摩擦係数の低い特性を持つフッ素樹脂（１０）によって実現する。
この軸受には、潤滑油等は使用しなくても潤滑性能は得られる。
【００１２】延長軸（７）とコマ部材（２）と書物押え部材（１）の組み付けが側面から見て直線状（図３の線Ｂ）でなければならない。これにより一体となったコマ部材（２）・書物押え部材（１）が頁を押さえる高さの位置が変わっても押える力は変わりなく押さえることができる。
【００１３】書物押え部材（１）の強度は例えばステンレスなどの金属製で径の太さはΦ３がよい。形状は側面視で半円状になっておりΦ３でのタワミが頁の反力を受けるのに適した設計となっている。（図３参照）
【００１４】書物押え部材（１）の他端には滑り止めキャップ（８）が設けられており。この滑り止めキャップ（８）によって頁を押さえる際に滑り止めの役割を果たす。これにより軽く押さえても頁が逃げないで保持できる。尚この滑り止めキャップ（８）はゴム製とするのが望ましい。
【００１５】書物押え部材（１）の押さえ力（保持力）をさらに強くすることはできるが、現在の押さえ力が書物（２０）の反発力に負けることはなく操作性からも丁度良い。（ちなみに頁を押える力は本出願人が測定した結果０．０１ｎ・ｍ（１０±％）である。
書物押え部材（１）の水平方向の動きは保持力はあまり必要としなが緩くても頁から逃げるので一定の保持力を必要とする設計にしてある。
【００１６】書物押え部材（１）はコマ部材（２）を介して延長軸（７）を中心にして回動する、この回動で書物押え部材（１）は真上から頁を押さえることになる。この書物（２０）を押さえる形が頁をめくる作業と差し込みの作業をさえぎるものはなく、円滑に行えることが最大の特徴である。
【００１７】この書見台の書物（２０）の厚さにおける使用範囲は、書物押え部材（１）の押さえる位置が側面から見て支点となる前軸（３）を超えてはならない。
【００１８】本発明の書見台の使い方は平らな台の上に置いて、書物押え部材（１）を書物（２０）の大きさよりやや広くひろげる、または上げて、滑り止め防止材（６）の中央部にくるように書物（２０）を載せて開く、載せた書物の頭部（２０ａ）は３〜４ｃｍのところが滑り止め防止材（６）にかかる程度でよい。
つまり図３に示すように書物の頭部（２０ａ）とコマ部材（２）との隙間が２ｃｍ程度空く状態でよい。
【００１９】書物（２０）を開いて書物押え部材（１）が頁を押さえるが、押さえる位置は文字がかからない頁の端の部分を押さえる。（図４）、書物押え部材（１）の付属している滑り止めキャップ（８）の先端部分はＬ型に曲がっている。この部分が頁を押さえるがこの曲りの部分を少し上向きにしてさらに角度を外向きにすることで頁の差し込みが容易となる。
【００２０】本発明の書見台は金属と木製と樹脂に分解できる構造になっており、分別して廃棄できる。
【図１】
2016159129.tif 000003
【図２】
2016159129.tif 000004
【図３】
2016159129.tif 000005
【図４】
2016159129.tif 000006